(57)【要約】【課題】内燃機関の回転動作が、決して安定しているとは云い難い待機速度域で、内燃機関の圧縮工程の慣性効果に与える影響の程度を正確に判定することにより、待機速度域における内燃機関の回転動作の安定性を充分に高めることを目的とする。【解決手段】内燃機関の回転動作が、決して安定してはいない程度に不安定な速度域である待機速度域ｙでは、マイコン部３のデータベーステーブルにより、内燃機関の上死点から少し進角した位置までの圧縮工程域を主体とした一定回転角範囲の通過時間に従って、カウント値である点火時期演算信号ｓ５を決定し、この点火時期演算信号ｓ５を内燃機関の上死点から少し進角した位置に達した時点からカウントし、カウントアップ時に点火動作を行うことにより、内燃機関の回転動作に対する圧縮工程の制動作用による過剰進角の発生を防止して、待機速度域ｙにおける安定して円滑な回転動作を得る。【選択図】図３
2006118393.tif 000002
【特許請求の範囲】
【請求項１】
二次側に点火栓（９）を接続した点火コイル（８）と、内燃機関により駆動される磁石発電機内の発電コイル（６）と、前記点火コイル（８）の一次側に設けられて、前記発電コイル（６）の出力電圧（Ｅ）の順電圧分（ｅ１）で充電される充電コンデンサ（ｃ６）と、点火信号（ｓ４）の入力により導通して、前記充電コンデンサ（ｃ６）の電荷を点火コイル（８）の一次コイルに放電させる放電用スイッチング素子（７）と、を有する容量放電型内燃機関用点火回路に、前記順電圧分（ｅ１）が、継続した点火動作を得ることができる電圧値として、予め設定した周期検出電圧値（ｖ１）に達した点火時期算出開始時点（ｔ１）で発生させた周期検出信号（ｓ１）に従って、回転速度を算出すると共に、該算出した回転速度に対応した時間信号である点火時期信号を決定する点火時期演算信号（ｓ５）を作成して、点火信号（ｓ４）を出力するマイコン部（３）を有する点火時点制御装置（１）を組付けた内燃機関用点火装置において、内燃機関の回転動作が、逆転発生の可能性が有るとされる程度に不安定な速度域として設定された下限速度域（ｘ）の上限である下限速度（ｕ）と、負荷を稼働させるのに適した作動速度域（ｚ）の下限である作動速度（ｗ）との間の、内燃機関の回転動作が、逆転の発生することはないものの、決して安定してはいない程度に不安定な速度域として設定された、アイドリングを含めた待機速度域（ｙ）では、前記マイコン部（３）のデータベーステーブルにより、内燃機関の上死点から少し進角した位置までの圧縮工程域を主体とした一定回転角範囲の通過時間に従って、カウント値である点火時期演算信号（ｓ５）を決定し、該点火時期演算信号（ｓ５）を前記内燃機関の上死点から少し進角した位置に達した時点からカウントし、カウントアップ時に前記点火信号（ｓ４）を放電用スイッチング素子（７）に出力する内燃機関用点火装置の待機速度域における点火動作制御方法。
【請求項２】
発電コイル（６）の出力電圧（Ｅ）の逆電圧分（ｅ２）の検出信号である電圧信号（ｓ６）により、前記出力電圧（Ｅ）の遅れ側逆電圧分（ｅ２）がピーク電圧値（ｖ２）に達したピーク検出時点（ｔ３）でピーク電圧検出信号（ｓ２）を発生させ、内燃機関の上死点から少し進角した位置までの圧縮工程域を主体とした一定回転角範囲の通過時間を、点火時期算出開始時点（ｔ１）からピーク検出時点（ｔ３）までの時間とした請求項１記載の内燃機関用点火装置の待機速度域における点火動作制御方法。
【発明の詳細な説明】
【技術分野】
【０００１】
本発明は、容量放電型の内燃機関用点火装置の待機速度域における点火動作制御方法に関するものである。
【背景技術】
【０００２】
内燃機関の安全で効率の良い運転、燃料消費率の低減、そして排気ガスの浄化を得るため、点火時点を所望する時点に正確に制御することが強く要求されるので、点火時点の制御をマイコン（マイクロコンピュータ）を用いて行うようにした従来技術が提案されている。
【０００３】
上記した従来技術は、発電コイル（エキサイタコイル）の出力電圧を直流電圧に変換する電源回路を設け、この電源回路をマイコンの電源とし、また機関の低速時には、パルサコイルから与えられる低速時点火位置信号により点火信号を与えるように構成したものである。
【０００４】
この構成により、バッテリを用いずにマイコンを動作させることができると共に、マイコンを動作させ得る電圧が得られない機関の低速時においても、点火動作を行わせることができる、と云う優れた機能を発揮する。
【特許文献１】特公平７−２６６０２号公報
【発明の開示】
【発明が解決しようとする課題】
【０００５】
しかしながら、上記した従来技術にあっては、内燃機関の回転動作が、充分な慣性効果を得られないことから、内燃機関の圧縮動作が強い制動力として作用してしまい、決して安定しているとは云い難い待機速度域でも、内燃機関の一回転に要する時間に従って決定された回転速度に合わせたタイミングで点火動作を行うので、実際の点火時期が、適正な点火時期に比べて進角する傾向となり、これにより内燃機関の回転動作がさらに不安定となる、と云う問題があった。
【０００６】
そこで、本発明は、上記した従来技術における問題点を解消すべく創案されたもので、内燃機関の回転動作が、決して安定しているとは云い難い待機速度域では、内燃機関の圧縮工程の慣性効果に与える影響の程度を正確に判定することを技術的課題とし、もって待機速度域における内燃機関の回転動作の安定性を充分に高めることを目的とする。
【課題を解決するための手段】
【０００７】
上記技術的課題を解決する本発明の内、請求項１記載の発明の手段は、
二次側に点火栓を接続した点火コイルと、内燃機関により駆動される磁石発電機内の発電コイルと、点火コイルの一次側に設けられて、発電コイルの出力電圧の順電圧分で充電される充電コンデンサと、点火信号の入力により導通して、充電コンデンサの電荷を点火コイルの一次コイルに放電させる放電用スイッチング素子と、を有する容量放電型内燃機関用点火回路に、出力電圧の順電圧分が、継続した点火動作を得ることができる電圧値として、予め設定した周期検出電圧値に達した点火時期算出開始時点で発生させた周期検出信号に従って、回転速度を算出すると共に、この算出した回転速度に対応した時間信号である点火時期信号を決定する点火時期演算信号を作成して、点火信号を出力するマイコン部を有する点火時点制御装置を組付けた内燃機関用点火装置の待機速度域における点火動作制御方法であること、
内燃機関の回転動作が、逆転発生の可能性が有るとされる程度に不安定な速度域として設定された下限速度域の上限である下限速度と、負荷を稼働させるのに適した作動速度域の下限である作動速度との間の、内燃機関の回転動作が、逆転の発生することはないものの、決して安定してはいない程度に不安定な速度域として設定された、アイドリングを含めた待機速度域では、マイコン部のデータベーステーブルにより、内燃機関の上死点から少し進角した位置までの圧縮工程域を主体とした一定回転角範囲の通過時間に従って、カウント値である点火時期演算信号を決定すること、
この点火時期演算信号を内燃機関の上死点から少し進角した位置に達した時点からカウントし、カウントアップ時に点火信号を放電用スイッチング素子に出力すること、
にある。
【０００８】
この請求項1記載の発明にあっては、容量放電型内燃機関用点火装置の発電コイルの出力電圧から、周期検出信号を得、この周期検出信号から得られた点火時期信号に従って、点火信号を出力することを点火動作の基本動作とする点火制御方法において、待機速度域だけでは、マイコン部のデータベーステーブルにより、内燃機関の上死点から少し進角した位置までの圧縮工程域を主体とした一定回転角範囲の通過時間に従って、カウント値である点火時期演算信号を決定し、この点火時期演算信号を内燃機関の上死点から少し進角した位置に達した時点からカウントし、カウントアップ時に点火動作を行うようにしているのである。
【０００９】
内燃機関の上死点は、圧縮工程が終了する位置であるので、この上死点から少し進角した位置までの圧縮工程を主体とした一定回転角範囲での内燃機関の回転動作は、速度が、充分な慣性効果を得ることができない待機速度域に位置していることから、圧縮動作に伴う制動作用を強く受ける。
【００１０】
このため、回転速度が一時的に低下することになるが、この上死点から少し進角した位置までの圧縮工程を主体とした一定回転角範囲の通過時間、すなわち回転速度を検出し、このときの１サイクルの回転速度と比較することにより、慣性効果に与える圧縮工程の影響の程度を正確に判定することができる。
【００１１】
この正確に判定した慣性効果に与える圧縮工程の影響の程度に従って、上死点から少し進角した位置までの圧縮工程を主体とした一定回転角範囲の通過時間に、待機速度域における回転速度を対応させると共に、上死点から少し進角した位置から、この回転速度時における望ましい点火位置までの時間を、単位時間のカウント値である点火時期演算信号として設定し、これをマイコン部のデータベーステーブルに記憶させる。
【００１２】
すなわち、マイコン部のデータベーステーブルには、上死点から少し進角した位置までの圧縮工程を主体とした一定回転角範囲の通過時間に対応して、点火時期演算信号であるカウント値が記録されているので、内燃機関が上死点から少し進角した位置に達すると、まだ決定されていない点火時期演算信号をカウントし始めると同時に、上死点から少し進角した位置までの圧縮工程を主体とした一定回転角範囲の通過時間を検出し、その値からマイコン部のデータベーステーブルで点火時期演算信号のカウント値を決定するのである。
【００１３】
このように、カウント値が決定されたならば、このカウント値に従って、内燃機関が上死点から少し進角した位置に達した時点から始めたカウントをカウントアップして点火信号を出力する。
【００１４】
請求項２記載の発明は、請求項１記載の発明の手段に、発電コイルの出力電圧の逆電圧分の検出信号である電圧信号により、出力電圧の遅れ側逆電圧分がピーク電圧値に達したピーク検出時点でピーク電圧検出信号を発生させ、内燃機関の上死点から少し進角した位置までの圧縮工程域を主体とした一定回転角範囲の通過時間を、点火時期算出開始時点からピーク検出時点までの時間とした、ことを加えたものである。
【００１５】
この請求項２記載の発明にあっては、容量放電型内燃機関用点火装置において、発電コイルの出力電力を点火動作に有効に作用させるために、発電コイルの出力電力を、点火時期前の、なるべく近い時期に発生させているが、このように発電コイルの出力電力が、点火時期前の、なるべく近い時期に出力されると云うことは、点火時期が上死点の少し前であることから、発電コイルの出力電力は、圧縮工程を主体とする時間域に出力されることになる。
【００１６】
それゆえ、点火時期算出開始時点からピーク検出時点までの時間は、内燃機関の上死点から少し進角した位置までの、圧縮工程域を主体とした一定回転角範囲の通過時間となる。
【００１７】
また、点火時期算出開始時点は、発電コイルの出力電圧の順電圧分が、継続した点火動作を得ることができる電圧値として、予め設定した周期検出電圧値に達した時点であり、この点火時期算出開始時点には、同期検出信号が出力されるので、内燃機関が稼働している限り、同期検出信号は必ず出力され、この同期検出信号の出力により点火時期算出開始時点を確実に検知できる。
【００１８】
同様に、ピーク検出時点は、ピーク電圧検出信号から確実に検知できるのであるが、ピーク電圧検出信号は、遅れ側逆電圧分がピーク電圧値に達したことを検知して出力するものであるので、磁石発電機のギャップの変動等による電圧の変動の影響を受けることなく、正確にかつ確実に出力され、これによりピーク検出時点も、正確にかつ確実に検知することができる。
【００１９】
このように、内燃機関の稼働により確実に得られる発電コイルの出力電圧に従って、内燃機関の上死点から少し進角した位置までの圧縮工程域を主体とした一定回転角範囲の通過時間を検知するので、この通過時間の検知が簡単で確実に達成される。
【発明の効果】
【００２０】
本発明は、上記した構成となっているので、以下に示す効果を奏する。
請求項１記載の発明にあっては、待機速度域における、内燃機関の慣性効果に与える圧縮工程の影響の程度を正確に判定することができ、これに従って、上死点から少し進角した位置から、この回転速度時における望ましい点火位置までの時間を、点火時期演算信号として設定するので、常に適正位置での点火動作を得ることができ、安定して良好な点火動作を維持することができる。
【００２１】
また、各回転速度に対応して設定された点火時期演算信号は、予めマイコン部のデータベーステーブルに記憶されているので、適正な点火時期演算信号の決定は、正確にかつ速やかに達成できることになる。
【００２２】
請求項２記載の発明にあっては、点火時期算出開始時点からピーク検出時点までの時間を、内燃機関の上死点から少し進角した位置までの、圧縮工程域を主体とした一定回転角範囲の通過時間に正確に対応させることができ、これにより得られる点火時期演算信号は適正なものとなる。
【００２３】
また、内燃機関の稼働により確実に得られる発電コイルの出力電圧に従って、内燃機関の上死点から少し進角した位置までの圧縮工程域を主体とした一定回転角範囲の通過時間を検知するので、通過時間の検知が簡単で確実に達成され、待機速度域における、安定して良好な点火動作を簡単に得ることができる。
【発明を実施するための最良の形態】
【００２４】
以下、本発明の好ましい実施形態例を、図面を参照しながら説明する。
図１は、容量放電型点火回路と組合わさって内燃機関用点火装置を構成する、本発明による点火時期制御装置１の回路構成を示す回路図で、点火時期制御装置１は、定電圧電源部２とマイコン部３と周期信号発生部４と逆電圧分電圧検出部５とから構成されている。
【００２５】
点火時期制御装置１が組付けられる容量放電型点火回路は、二次側に点火栓９を接続している点火コイル８と、内燃機関により駆動される磁石発電機を構成する発電コイル６と、点火コイル８の一次側に設けられて、発電コイル６の出力電圧Ｅの順電圧分ｅ１で充電される充電コンデンサｃ６と、この充電コンデンサｃ６の電荷を導通により点火コイル８の一次コイルに放電させる、放電用スイッチング素子７とを有して構成されている。
【００２６】
発電コイル６に誘起した出力電圧Ｅの順電圧分ｅ１は、充電用ダイオードｄ３を通って充電コンデンサｃ6に充電され、この充電コンデンサｃ6に充電された電荷は、放電エネルギー回生用ダイオードｄ７を逆並列接続し、ゲート安定化抵抗ｒ８を接続したサイリスタである放電用スイッチング素子７のトリガにより点火コイル８の一次コイルに放電され、これにより点火コイル８の二次コイルに高電圧を誘起して点火栓９に火花放電を発生させて、内燃機関を点火動作させる。
【００２７】
点火時期制御装置１の定電圧電源部２は、発電コイル６の出力電圧Ｅの逆電圧分ｅ２（図２参照）を充電して、一定電圧値の出力を、マイコン部３、周期信号発生部４、逆電圧分電圧検出部５に供給するもので、整流ダイオードｄ４で整流された発電コイル６の出力電圧Ｅの逆電圧分ｅ２を、電流制限抵抗ｒ１を通して、過電圧防止用ツェナーダイオード２２を並列接続している電源コンデンサｃ１に充電し、この充電電圧が予め設定された一定電圧値に達すると、ベースに電圧安定化ツェナーダイオード２１とベース抵抗ｒ２とを接続した電圧安定化トランジスタ２０が導通して、一定電圧を出力する。
【００２８】
この定電圧電源部２の一定電圧値は、マイコン部３のマイコン３０の動作可能電圧の上限値に近い値、具体的には５Ｖに設定されており、これにより定電圧出力信号中にサージノイズが侵入したとしても、このサージノイズの影響を受けないようにしている。
【００２９】
マイコン部３は、マイコン３０とリセットＩＣ３２とから構成されていて、定電圧電源部２の出力端子に並列に挿入接続されたリセットＩＣ３２は、リセットノイズ除去用コンデンサｃ３を接続した出力端子を、マイコン３０のリセットポートに接続し、定電圧電源部２の出力電圧値が予め設定した一定値に達したことを検出して、マイコン３０を立ち上げる。
【００３０】
クロック発生部３１を組付けたマイコン３０は、電源ノイズ除去用コンデンサｃ２を介して定電圧電源部２から定電圧信号を入力し、点火信号供給用抵抗ｒ３を介して点火信号ｓ４を、放電用スイッチング素子７に出力する。
【００３１】
周期信号発生部４は、定電圧電源部２から定電圧信号を、波形整形用抵抗ｒ５を介して、信号発生トランジスタ４０に与えておき、信号発生トランジスタ４０のベースに接続された検出ツェナーダイオード４１と電圧検出抵抗ｒ４との直列回路により、発電コイル６の出力電圧Ｅの順電圧分ｅ１が、予め設定した周期検出電圧値ｖ１を越えたならば、信号発生トランジスタ４０をオンさせ、この信号発生トランジスタ４０と波形整形用抵抗ｒ５との接続点の電位を、周期検出信号ｓ１としてマイコン部３に出力する。
【００３２】
なお、信号発生トランジスタ４０と波形整形用抵抗ｒ５との直列回路には、ノイズ除去用ダイオードｄ１とノイズ除去用コンデンサｃ４との直列回路が並列接続されている。
【００３３】
逆電圧分電圧検出部５は、発電コイル６の出力電圧Ｅの遅れ側逆電圧分ｅ２を、電圧設定用分圧抵抗ｒ６とｒ７との直列回路に加え、両電圧設定用分圧抵抗ｒ６、ｒ７の分圧点の電圧を電圧信号ｓ６として、マイコン部３に出力する。なお、両電圧設定用分圧抵抗ｒ６、ｒ７の分圧点とアースとの間には、ノイズ除去用コンデンサｃ５を接続し、また分圧点と定電圧電源部２との間にはノイズ除去用ダイオードｄ２が接続されている。
【００３４】
周期信号発生部４で設定した周期検出電圧値ｖ１は、内燃機関を安定して起動させることができる回転速度域になって得られる順電圧分ｅ１の値に従って、例えば４０Ｖ程度に設定されるが、この順電圧分ｅ１の値が周期検出電圧値ｖ１に達するのと前後して、定電圧電源部２の定電圧出力信号が出力されるので、周期検出信号ｓ１の出力とほぼ同時にマイコン３０が立ち上げられる。
【００３５】
マイコン３０は、周期検出信号ｓ１が入力されると、この入力時点を点火時期算出開始時点ｔ１として、次の点火時期算出開始時点ｔ１までの時間を測定して回転速度を演算し、この演算した回転速度に対応した点火時期を、予め記憶した多数のデータの中から選定して、この次の点火時期算出開始時点ｔ１が位置するサイクルの点火時期演算信号ｓ５を作成する。
【００３６】
また、マイコン３０は、逆電圧分電圧検出部５から電圧信号ｓ６が入力されると、これをＡ／Ｄコンバータに入力し、遅れ側逆電圧分ｅ２の電圧値がピーク電圧値ｖ２に達したことを検出するピーク電圧検出信号ｓ２をピーク検出時点ｔ３に、また内燃機関の上死点にできる限り近く位置し、かつ確実に検出できる値、例えば０．３Ｖに設定された起動電圧値ｖ３に達したことを検出する起動電圧検出信号ｓ３を起動時点ｔ２に出力する。
【００３７】
そして、マイコン３０は、内燃機関の回転動作が、逆転発生の可能性が有るとされる程度に不安定な速度域として設定された下限速度域ｘの上限である下限速度ｕと、負荷を稼働させるのに適した作動速度域ｚの下限である作動速度ｗとの間の、内燃機関の回転動作が、逆転の発生することはないものの、決して安定してはいない程度に不安定な速度域として設定された、アイドリングを含めた待機速度域ｙに、測定した回転速度がある場合には、点火時期算出開始時点ｔ１からピーク検出時点ｔ３までの時間、すなわち内燃機関の上死点から少し進角した位置までの圧縮工程を主体とした一定回転角範囲の通過時間に従って、点火時期演算信号ｓ５を決定する。
【００３８】
すなわち、予め、待機速度域ｙ内における各回転速度毎に、点火時期算出開始時点ｔ１からピーク検出時点ｔ３までの時間に従って速度を算出し、この算出した速度に従って、ピーク検出時点ｔ３から望ましい点火時期までの時間を点火時期演算信号ｓ５として算出して、その結果をデータベーステーブルに記録しておき、測定した点火時期算出開始時点ｔ１からピーク検出時点ｔ３までの時間を、このデータベーステーブルに突き合わせて、点火時期演算信号ｓ５を決定するのである。
【００３９】
図７は、待機速度域ｙを回転速度１５００〜４０００ｒｐｍの範囲に設定した場合におけるデータベーステーブルの内容例を示すもので、回転速度１５００〜４０００ｒｐｍの範囲に対応する点火時期算出開始時点ｔ１からピーク検出時点ｔ３までの時間（ｍｓ）範囲である、２．５６〜４．６１ｍｓの時間範囲を、高速側を０番地として八つに等分し、各番地に、等分された各時間範囲に、対応する点火時期演算信号ｓ５としてのカウント値をそれぞれ算出して設定している。
【００４０】
なお、回転速度（ｒｐｍ）は、データベーステーブルに記録されているものではなく、参考データとして、各時間（ｍｓ）範囲に対応する回転速度（ｒｐｍ）範囲として添付されたもので、この各回転速度（ｒｐｍ）範囲の値から明らかなように、慣性効果が充分でない２２００ｒｐｍまでは低速域では、１００ｒｐｍ毎に一つの番地に対応しているのに対し、必要とする慣性効果が得られるようになる２２００〜４０００ｒｐｍの範囲は、一つの番地である０番地にまとめられている。
【００４１】
この図７のデータベーステーブルの内容例に示されているように、通過時間である時間（ｍｓ）が長いほど、すなわち回転速度（ｒｐｍ）が低速度であるほど、カウント値は加速度的に大きくなっており、このことからも、慣性効果に対する圧縮工程の制動作用が、速度の低下に従って急激に増大することが解る。
【００４２】
次に、点火装置の動作を、起動時から順に説明する。
内燃機関を回転させて、定電圧電源部２から一定電圧が出力されると、これをリセットＩＣ３２が検知して、マイコン３０を、そのリセットを解除して立ち上げるので、マイコン３０は、初期設定を行ってから待機状態に入る。
【００４３】
この状態から（以下、図２参照）、最初の周期検出信号ｓ１が入力されると、これに従って直後に入力される電圧信号ｓ６から、予め設定した起動電圧値ｖ３を検出して起動電圧検出信号ｓ３を発生させ、この起動電圧検出信号ｓ３の発生に従って、直ちに点火信号ｓ４を点火回路の放電用スイッチング素子７に出力して点火動作を行い、内燃機関を安全にかつ確実に起動させる。
【００４４】
この点火時点を起動時点ｔ２とした点火動作は、ケッチンを起こすことなく安全にかつ確実に行われるので、回転動作が必ずしも安定しない起動し始めの時期、すなわち起動モード時には、予め設定した時間または速度設定した下限速度域ｘ（例えば、７００〜１５００ｒｐｍ）で、点火時点を起動時点ｔ２にして運転する。
【００４５】
起動モード経過後に、内燃機関の回転速度が下限速度域ｘの上限である下限速度ｕ以下となった場合には、内燃機関の回転動作がきわめて不安定である、下限速度域ｘの下半領域（例えば、７００〜１０００ｒｐｍ）では、専用に設けたトリガコイル（図示省略）の誘起電圧が、放電用スイッチング素子７のトリガ電圧に達した時点を点火時期とし、内燃機関の回転動作が不安定である、下限速度域ｘの上半領域（例えば、１０００〜１５００ｒｐｍ）では、点火時期算出開始時点ｔ１からピーク検出時点ｔ３までの時間に従ったカウント値を、マイコン３０のデータベーステーブルから読み出し、このカウント値をピーク検出時点ｔ３からカウントし、カウントアップ時に点火信号ｓ４を出力する（図３参照）。
【００４６】
すなわち、フライホイールの慣性効果が充分に発揮されないことにより、内燃機関の回転動作が安定しない下限速度域ｘでは、上死点にできる限り近い進角位置を点火時期とすることにより、高い確実性で点火動作を持続するようにする。
【００４７】
内燃機関の回転速度が、下限速度域ｘの上限値である下限速度ｕから、負荷を稼働させるのに適した作動速度域ｚの下限値である作動速度ｗまでの、回転動作が安定しているとは云い難い、アイドリングを含めた待機速度域ｙ（例えば、１５００〜４０００ｒｐｍ）に上昇したならば、図３に示すように、点火時期算出開始時点ｔ１からピーク検出時点ｔ３までの時間に従ったカウント値を、マイコン３０のデータベーステーブル（図７参照）から読み出し、このカウント値をピーク検出時点ｔ３からカウントし、カウントアップ時に点火信号ｓ４を出力する。
【００４８】
この待機速度域ｙでは、図７に示したデータベーステーブルに記録されたカウント値の変化から明らかなように、回転速度が１５００〜２０００ｒｐｍの範囲では、時間（ｍｓ）が短くなるに従って、すなわち回転速度が上昇するに従って、カウント値が急速に小さくなって、点火時期を急速に進角させるが、回転速度が２０００〜４０００ｒｐｍの範囲では、回転速度の上昇にもかかわらず、カウント値に変化はなく、点火時期の変化は殆どない。
【００４９】
内燃機関の回転速度が、作動速度ｗを越えて、負荷を結合して稼動するのに適した作動速度域ｚに達すると、図４に示すように、前回の周期検出信号ｓ１の入力時点である点火時期算出開始時点ｔ１から今回の点火時期算出開始時点ｔ１までの時間から、この今回の点火時期算出開始時点ｔ１での回転速度を算出し、この算出した回転速度に対応して予め設定記憶させてある点火時期信号を選定する点火時期演算信号ｓ５を得、この点火時期演算信号ｓ５で得た点火時期信号を今回の点火時期算出開始時点ｔ１からカウントし、点火時期信号の時間経過後に点火信号ｓ４を出力する。
【００５０】
この作動速度域ｚにあっては、各回転速度に最も適合した進角が得られるので、内燃機関の出力は充分に高められ、結合した負荷の効率の良い稼動を得ることができる。
【００５１】
内燃機関の回転速度が、作動速度域ｚの上限値（例えば、８０００ｒｐｍ）を越えると、図５に示すように、点火時期演算信号ｓ５が、得られた点火時期信号よりもその時間が長くなり、このため点火信号ｓ４を得ることができなくなるので、前のサイクルの点火時期演算信号ｓ５で得られた点火時期信号を、そのまま次のサイクルで使用する。
【００５２】
図６は、図示した実施形態例の進角特性線ｋの一例を示すもので、キックバックエリアｍに近接している下限速度域ｘ（７００〜１５００ｒｐｍ）では、殆ど進角することはなく、確実な回転動作を得るようにしており、待機速度域ｙ（１５００〜４０００ｒｐｍ）では、１５００〜２０００ｒｐｍの下半領域では、速やかに安定した慣性効果を得ることができるように、大幅な進角を行っており、２０００〜４０００ｒｐｍの上半領域では、安定して経済的なアイドリング状態を得るために、殆ど進角しない状態となっている。
【００５３】
回転速度が作動速度ｗ（４０００ｒｐｍ）に達すると、ステップ進角すると同時に作動速度域ｚに入り、高速上限速度である８０００ｒｐｍまでは、最も効率の良い進角動作を行う。
【図面の簡単な説明】
【００５４】
【図１】本発明を実施する点火時期制御装置の回路構成の一例を示す、電気回路である。
【図２】本発明の起動時の動作例を示す、動作線図である。
【図３】本発明の待機速度域での動作例を示す、動作線図である。
【図４】本発明の作動速度域での動作例を示す、動作線図である。
【図５】本発明の作動速度域の高速上限以上の速度域における動作例を示す、動作線図である。
【図６】本発明の進角特性の一例を示す、特性線図である。
【図７】本発明におけるマイコンに記録されたデータベーステーブルの記録内容の一例を示す、説明図である。
【符号の説明】
【００５５】
１    ；  点火時期制御装置
２    ；  定電圧電源部
２０  ；  電圧安定化トランジスタ
２１  ；  電圧安定化ツェナーダイオード
２２  ；  過電圧防止用ツェナーダイオード
ｃ１  ；  電源コンデンサ
ｒ１  ；  電流制限抵抗
ｒ２  ；  ベース抵抗
３    ；  マイコン部
３０  ；  マイコン
３１  ；  クロック発生部
３２  ；  リセットＩＣ
ｃ２  ；  電源ノイズ除去用コンデンサ
ｃ３  ；  リセットノイズ除去用コンデンサ
ｒ３  ；  点火信号供給用抵抗
４    ；  周期信号発生部
４０  ；  信号発生トランジスタ
４１  ；  検出ツェナーダイオード
ｒ４  ；  電圧検出抵抗
ｒ５  ；  波形整形用抵抗
ｄ１  ；  ノイズ除去用ダイオード
ｃ４  ；  ノイズ除去用コンデンサ
５    ；  逆電圧分電圧検出部
ｒ６  ；  電圧設定用分圧抵抗
ｒ７  ；  電圧設定用分圧抵抗
ｄ２  ；  ノイズ除去用ダイオード
ｃ５  ；  ノイズ除去コンデンサ
６    ；  発電コイル
７    ；  放電用スイッチング素子
８    ；  点火コイル
９    ；  点火栓
ｃ６  ；  充電コンデンサ
ｄ３  ：  充電用ダイオード
ｄ４  ；  整流ダイオード
ｄ５  ；  整流ダイオード
ｄ６  ；  整流ダイオード
ｄ７  ；  放電エネルギー回生用ダイオード
ｒ８  ；  ゲート安定化抵抗
Ｅ    ；  出力電圧
ｅ１  ；  順電圧分
ｅ２  ；  逆電圧分
ｖ１  ；  周期検出電圧値
ｖ２  ；  ピーク電圧値
ｖ３  ；  起動電圧値
ｓ１  ；  周期検出信号
ｓ２  ；  ピーク電圧検出信号
ｓ３  ；  起動電圧検出信号
ｓ４  ；  点火信号
ｓ５  ；  点火時期演算信号
ｓ６  ；  電圧信号
ｔ１  ；  点火時期算出開始時点
ｔ２  ；  起動時点
ｔ３  ；  ピーク検出時点
ｘ    ；  下限速度域
ｙ    ；  待機速度域
ｚ    ；  作動速度域
ｕ    ；  下限速度
ｗ    ；  作動速度
ｋ    ；  進角特性線
ｍ    ；  キックバックエリア
【図１】
2006118393.tif 000003
【図２】
2006118393.tif 000004
【図３】
2006118393.tif 000005
【図４】
2006118393.tif 000006
【図５】
2006118393.tif 000007
【図６】
2006118393.tif 000008
【図７】
2006118393.tif 000009